(57)【要約】【課題】Ｘ線撮影装置において、ＤＩＣＯＭビューアで選択された撮影画像データに関連する同一検査内の透視画像データを自動的に可搬記録媒体から抽出して併せて表示すること。【解決手段】Ｘ線撮影装置１は、同一検査内における撮影画像データ及び透視画像データを取得する画像取得手段６１と、撮影画像データを含むＤＩＣＯＭ画像ファイルと、透視画像データを含むＤＩＣＯＭ画像ファイルとをそれぞれ生成するファイル生成手段６２と、撮影画像データを含むＤＩＣＯＭ画像ファイル及び透視画像データを含むＤＩＣＯＭ画像ファイル同士を関連付けて可搬記録媒体Ｍに記録する関連付け記録制御手段６３と、を有する。【選択図】  図３
2015150156.tif 000002
【特許請求の範囲】
【請求項１】
同一検査内における撮影画像データ及び透視画像データを取得する取得手段と、
前記撮影画像データを含むＤＩＣＯＭ画像ファイルと、前記透視画像データを含むＤＩＣＯＭ画像ファイルとをそれぞれ生成するファイル生成手段と、
前記撮影画像データを含むＤＩＣＯＭ画像ファイル及び前記透視画像データを含むＤＩＣＯＭ画像ファイル同士を関連付けて可搬記録媒体に記録する記録制御手段と、
を有するＸ線撮影装置。
【請求項２】
前記撮影画像データを含むＤＩＣＯＭ画像ファイル及び前記透視画像データを含むＤＩＣＯＭ画像ファイルを関連付けるファイル関連テーブルを生成するファイル関連テーブル生成手段をさらに有し、
前記記録制御手段は、前記撮影画像データを含むＤＩＣＯＭ画像ファイル及び前記透視画像データを含むＤＩＣＯＭ画像ファイルを、前記ファイル関連テーブルと共に可搬記録媒体に記録する請求項１に記載のＸ線撮影装置。
【請求項３】
前記記録制御手段は、前記ファイル関連テーブルを参照して前記ＤＩＣＯＭ画像ファイルを関連付けて表示するための外部の表示装置を前記可搬記録媒体に記録する請求項２に記載のＸ線撮影装置。
【請求項４】
前記撮影画像データを含むＤＩＣＯＭ画像ファイル及び前記透視画像データを含むＤＩＣＯＭ画像ファイルのファイル形式をＤＩＣＯＭ形式から汎用形式にそれぞれ変換することで汎用画像ファイルを生成するファイル形式変換手段をさらに有し、
前記記録制御手段は、前記汎用画像ファイル同士を関連付けて前記可搬記録媒体に記録する請求項１乃至３のうちいずれか一項に記載のＸ線撮影装置。
【発明の詳細な説明】
【技術分野】
【０００１】
本発明の一態様としての本実施形態は、撮影及び透視を行なうＸ線撮影装置に関する。
【背景技術】
【０００２】
従来、非破壊検査等の工業分野や、健康診断等の医療分野において、検査対象又は被検体に放射線（代表的には、Ｘ線）を照射して、検査対象又は被検体を透過した放射線の強度分布を検出し、検査対象又は被検体の画像を得るＸ線撮影装置が広く利用されている。
【０００３】
Ｘ線撮影装置を用いた透視が実行されると、透視画像データがＸ線撮影装置の記憶装置に記憶される。そして、透視から撮影に切り替えられると、透視画像データの記憶が一時停止され、撮影による撮影画像データがＸ線撮影装置の記憶装置に記憶される。再び撮影から透視に切り替えられると、透視が実行され、透視画像データがＸ線撮影装置の記憶装置に記憶される。このような場合、Ｘ線撮影装置は、１検査内の画像データ、すなわち、１検査内における撮影に係る撮影ＩＤ（ｉｄｅｎｔｉｆｉｃａｔｉｏｎ）と、撮影前の前透視に係る前透視ＩＤと、撮影後の後透視に係る後透視ＩＤとを関連付けたＩＤ関連テーブルを、記憶装置に記憶させる。
【０００４】
Ｘ線撮影装置を用いて同一検査内の画像データを表示する場合、医師などの操作者によって選択された画像データが記憶装置から読み出される。そして、記憶装置に記憶されたＩＤ関連テーブルを用いて、選択された画像データの撮影ＩＤに関連付けられた同一検査内の前透視ＩＤ及び後透視ＩＤに対応する画像データがそれぞれ記憶装置から読み出される。そして、読み出された同一検査内の画像データがＸ線撮影装置で表示される。
【０００５】
また、Ｘ線撮影装置は、当該Ｘ線撮影装置の外部であって、ヘッダ部がＤＩＣＯＭ（ｄｉｇｉｔａｌ  ｉｍａｇｉｎｇ  ａｎｄ  ｃｏｍｍｕｎｉｃａｔｉｏｎ  ｉｎ  ｍｅｄｉｃｉｎｅ）規格に従うＤＩＣＯＭ画像ファイルを開くための専用のアプリケーションを有するＤＩＣＯＭビューアで表示するために、画像データを含むＤＩＣＯＭ画像ファイルを生成して、ＤＩＣＯＭ画像ファイルをリムーバブルドライブから分離可能な記録媒体（可搬記録媒体、可搬メディア）に記録する。
【先行技術文献】
【特許文献】
【０００６】
【特許文献１】特開２００２−４１５５０号公報
【発明の概要】
【発明が解決しようとする課題】
【０００７】
従来技術によると、Ｘ線撮影装置は、可搬記録媒体にＤＩＣＯＭ画像ファイルを記録する際、１検査内における複数のＤＩＣＯＭ画像ファイル同士を関連付けていない。よって、ＤＩＣＯＭビューアを用いて可搬記録媒体に記録されたＤＩＣＯＭ画像ファイルに含まれる撮影画像データを表示する場合、選択された撮影画像データと同一検査内の透視画像データを自動的に得る術がなかった。
【０００８】
操作者は、選択された撮影画像データと同一検査内の透視画像データを手動的に得ることもできるが、その場合、操作者によって手間が多く、操作者の診断効率に問題があった。
【０００９】
さらに、Ｘ線撮影装置の外部であって、ＤＩＣＯＭ画像ファイルを開くための専用のアプリケーションを有しない汎用ビューアでは、可搬記録媒体に記録されたＤＩＣＯＭ画像ファイルの画像データを表示することすらできなかった。
【課題を解決するための手段】
【００１０】
本実施形態のＸ線撮影装置は、上述した課題を解決するために、１検査内における撮影画像データ及び透視画像データを取得する取得手段と、前記撮影画像データを含むＤＩＣＯＭ画像ファイルと、前記透視画像データを含むＤＩＣＯＭ画像ファイルとをそれぞれ生成するファイル生成手段と、前記撮影画像データを含むＤＩＣＯＭ画像ファイル及び前記透視画像データを含むＤＩＣＯＭ画像ファイル同士を関連付けて可搬記録媒体に記録する記録制御手段と、を有する。
【図面の簡単な説明】
【００１１】
【図１】本実施形態のＸ線撮影装置の構成を示す概略図。
【図２】（Ａ）〜（Ｃ）は、検査ごとの検査内容の例と、検査内容に対応するＩＤ関連テーブルの例とを示す図。
【図３】本実施形態のＸ線撮影装置の機能を示すブロック図。
【図４】ＤＩＣＯＭ画像ファイルの構造の一例を示す図。
【図５】検査ごとのＤＩＣＯＭ画像ファイルのファイル名を含むファイル関連テーブルの一例を示す図。
【発明を実施するための形態】
【００１２】
本実施形態のＸ線撮影装置について、添付図面を参照して説明する。
【００１３】
図１は、本実施形態のＸ線撮影装置の構成を示す概略図である。
【００１４】
図１は、本実施形態のＸ線撮影装置１を示す。Ｘ線撮影装置１は、大きくは、架台装置２、寝台装置３、コントローラ４、画像処理装置５から構成される。架台装置２、寝台装置３、及びコントローラ４は、一般的には、検査室に設置される一方、画像処理装置５は、検査室に隣接する操作室に設置される。
【００１５】
架台装置２は、Ｘ線照射装置２１、Ｘ線検出装置２２、及び高電圧供給装置２３を設ける。ここで、架台装置２は、撮影及び透視を行なうことが可能な装置である。架台装置２は、撮影及び透視を行なうことが可能であればよく、アンギオ装置である場合や、Ｘ線ＴＶシステムである場合などがある。なお、図１では、架台装置２がアンダーチューブタイプである場合を示すが、オーバーチューブタイプである場合であってもよい。
【００１６】
Ｘ線照射装置２１は、コントローラ４による制御によって、前後動が可能なように設けられる。Ｘ線照射装置２１は、図示しないが、Ｘ線管（Ｘ線源）及び可動絞り装置を設ける。Ｘ線管は、高電圧供給装置２３から高電圧電力の供給を受けて、高電圧電力の条件に応じてＸ線を発生する。可動絞り装置は、Ｘ線管のＸ線照射口で、Ｘ線を遮蔽する物質から構成された絞り羽根を移動可能に支持する。なお、Ｘ線管の前面に、Ｘ線管によって発生されたＸ線の線質を調整する線質調整フィルタ（図示しない）を備えてもよい。
【００１７】
Ｘ線検出装置２２は、Ｘ線照射装置２１に対向するように設けられる。Ｘ線検出装置２２は、コントローラ４による制御によって、前後動が可能なように設けられる。Ｘ線検出装置２２は、ＦＰＤ（平面検出器：ｆｌａｔ  ｐａｎｅｌ  ｄｅｔｅｃｔｏｒ）２２１及びＡ／Ｄ（ａｎａｌｏｇ  ｔｏ  ｄｅｇｉｔａｌ）変換回路２２２を備える。
【００１８】
ＦＰＤ２２１は、二次元に配列された複数の検出素子を有する。ＦＰＤ２２１の各検出素子間は、走査線と信号線とが直交するように配設される。なお、ＦＰＤ２２１の前面に、グリッド（図示しない）が備えられてもよい。グリッドは、ＦＰＤ２２１に入射する散乱線を吸収してＸ線画像のコントラストを改善するために、Ｘ線吸収の大きい鉛等によって形成されるグリッド板と透過しやすいアルミニウムや木材等とが交互に配置される。
【００１９】
Ａ／Ｄ変換回路２２２は、ＦＰＤ２２１から出力される時系列的なアナログ信号（ビデオ信号）の投影データをデジタル信号に変換し、画像処理装置５に出力する。
【００２０】
なお、Ｘ線検出装置２２は、Ｉ．Ｉ．（ｉｍａｇｅ  ｉｎｔｅｎｓｉｆｉｅｒ）−ＴＶ系であってもよい。Ｉ．Ｉ．−ＴＶ系では、被検体Ｓを透過したＸ線及び直接入射されるＸ線を可視光に変換し、さらに、光−電子−光変換の過程で輝度の倍増を行なって感度のよい投影データを形成させ、ＣＣＤ（ｃｈａｒｇｅ  ｃｏｕｐｌｅｄ  ｄｅｖｉｃｅ）撮像素子を用いて光学的な投影データを電気信号に変換し、時系列的なアナログ信号（ビデオ信号）の投影データをデジタル信号に変換する。
【００２１】
高電圧供給装置２３は、コントローラ４の制御に従って、Ｘ線照射装置２１のＸ線管に高電圧電力を供給可能である。
【００２２】
寝台装置３は、床面に支持され、天板３１を支持する。寝台装置３は、コントローラ４による制御によって、天板３１をスライド（Ｘ、Ｚ軸方向）動、上下（Ｙ軸方向）動及びローリングさせる。天板３１は、被検体Ｓを載置可能である。
【００２３】
コントローラ４は、図示しないＣＰＵ（ｃｅｎｔｒａｌ  ｐｒｏｃｅｓｓｉｎｇ  ｕｎｉｔ）及びメモリを含んでいる。コントローラ４は、画像処理装置５の制御に従って、位置合せのために、架台装置２のＸ線照射装置２１及びＸ線検出装置２２の駆動と、寝台装置３の駆動とを制御する。また、コントローラ４は、画像処理装置５の制御に従って、検査用の撮影及び透視のために、Ｘ線照射装置２１、Ｘ線検出装置２２、及び高電圧供給装置２３の動作を制御する。
【００２４】
画像処理装置５は、コンピュータをベースとして構成されており、Ｘ線撮影装置１全体の動作制御や、架台装置２によって取得された複数のＸ線画像（Ｘ線画像データ）に関する画像処理等を行なう装置である。画像処理装置５は、システム制御部５１、Ｘ線画像生成部５２、Ｘ線画像処理部５３、Ｘ線画像記憶部５４、表示部５５、入力部５６、ＩＦ（ｉｎｔｅｒｆａｃｅ）５７、及び記録媒体用ドライブ５８を有する。
【００２５】
システム制御部５１は、図示しないＣＰＵ及びメモリを含んでいる。システム制御部５１は、コントローラ４や、各部５２乃至５８を制御する。
【００２６】
Ｘ線画像生成部５２は、システム制御部５１の制御によって、架台装置２のＡ／Ｄ変換回路２２２から出力された投影データに対して対数変換処理（ＬＯＧ処理）を行なって必要に応じて加算処理して、画像データ（撮影画像データ及び透視画像データ）を生成する。
【００２７】
Ｘ線画像処理部５３は、システム制御部５１の制御によって、Ｘ線画像生成部５２によって生成された画像データに対して画像処理を施す。画像処理としては、データに対する拡大／階調／空間フィルタ処理や、時系列に蓄積されたデータの最小値／最大値トレース処理、及びノイズを除去するための加算処理等が挙げられる。
【００２８】
Ｘ線画像記憶部５４は、メモリや、記憶媒体及びドライブが一体化している固定ドライブによって構成される。Ｘ線画像記憶部５４は、システム制御部５１の制御によって、Ｘ線画像処理部５３による画像処理後の画像データを記憶する。また、Ｘ線画像記憶部５４は、１検査内における画像データを関連付けるために、１検査内における撮影に係る撮影ＩＤと、撮影前の前透視に係る前透視ＩＤと、撮影後の後透視に係る後透視ＩＤとが関連付けられるＩＤ関連テーブルを記憶する。
【００２９】
図２（Ａ）〜（Ｃ）は、検査ごとの検査内容の例と、検査内容に対応するＩＤ関連テーブルの例とを示す図である。
【００３０】
図２（Ａ）に示す検査Ａにおいては、まず、撮影Ｒ前の前透視ＦＡ（ＩＤ「０００１」）が実行されてその中断後、撮影Ｒ（ＩＤ「０００２」）が実行される。その撮影Ｒの終了後、後透視ＦＢ（ＩＤ「０００３」）が実行される。その場合、検査Ａに係るＩＤ関連テーブルは、前透視ＩＤ「０００１」と、撮影ＩＤ「０００２」と、後透視ＩＤ「０００３」とを含む。
【００３１】
図２（Ｂ）に示す検査Ｂにおいては、まず、撮影Ｒ前の前透視ＦＡ（ＩＤ「０００４」）が実行されてその中断後、撮影Ｒ（ＩＤ「０００５」）が実行される。その撮影Ｒの終了後、後透視ＦＢ（ＩＤ「０００６」）が実行される。その場合、検査Ｂに係るＩＤ関連テーブルは、前透視ＩＤ「０００４」と、撮影ＩＤ「０００５」と、後透視ＩＤ「０００６」とを含む。
【００３２】
図２（Ｃ）に示す検査Ｃにおいては、まず、第１の撮影Ｒ前の前透視ＦＡ（ＩＤ「０００７」）が実行されてその中断後、第１の撮影Ｒ（ＩＤ「０００８」）が実行される。その第１の撮影Ｒの終了後、第１の後透視ＦＢ（第２の前透視ＦＡ）（ＩＤ「０００９」）が実行されてその中断後、第２の撮影Ｒ（ＩＤ「００１０」）が実行される。その第２の撮影Ｒの終了後、第２の後透視ＦＢ（ＩＤ「００１１」）が実行される。その場合、検査Ｃに係るＩＤ関連テーブルは、前透視ＩＤ「０００７」及び「０００９」と、撮影ＩＤ「０００８」及び「００１０」と、後透視ＩＤ「０００９」及び「００１１」とを含む。
【００３３】
図１の説明に戻って、表示部５５は、システム制御部５１の制御によって、Ｘ線画像処理部５３によって処理された画像データを種々のパラメータの文字情報や目盛等と共に合成して、画像として表示する。
【００３４】
入力部５６は、術者等の操作者によって操作が可能なキーボード及びマウス等であり、操作に従った入力信号がシステム制御部５１に送られる。
【００３５】
ＩＦ５７は、パラレル接続仕様やシリアル接続仕様に合わせたコネクタによって構成される。ＩＦ５７は、システム制御部５１の制御によって、各規格に応じた通信制御を行ない、電話回線を通じてネットワークＮに接続することができる機能を有しており、これにより、画像処理装置５をネットワークＮ網に接続させる。
【００３６】
記録媒体用ドライブ５８は、ＣＤ−ＲＯＭドライブ、ＤＶＤドライブなどのリムーバブルドライブによって構成される。記録媒体用ドライブ５８は、システム制御部５１の制御によって、Ｘ線撮影装置１によって生成された画像データやＩＤ関連テーブル（図２（Ａ）〜（Ｃ）に図示）等を、記録媒体用ドライブ５８から分離可能な記録媒体（可搬記録媒体、可搬メディア）Ｍに記録する。可搬記録媒体Ｍ内のフォルダ構造や、ＤＩＣＯＭ画像ファイルの保管場所や、ＤＩＣＯＭビューアなどのＤＩＣＯＭ画像ファイル以外のデータを格納する場合の構造などは、ＰＤＩ（ｐｏｒｔａｂｌｅ  ｄａｔａ  ｆｏｒ  ｉｍａｇｉｎｇ）に準拠している。
【００３７】
図３は、本実施形態のＸ線撮影装置１の機能を示すブロック図である。
【００３８】
図１に示すシステム制御部５１がプログラムを実行することによって、図３に示すようにＸ線撮影装置１は、画像取得手段６１、ファイル生成手段６２、関連付け記録制御手段６３、ファイル関連テーブル生成手段６４、ＤＩＣＯＭビューア記録制御手段６５、及びファイル形式変換手段６６として機能する。なお、各手段６１乃至６６は、プログラムを実行することによって機能するものとして説明したが、その場合に限定されるものではない。各手段６１乃至６６の全部又は一部は、Ｘ線撮影装置１にハードウェアとして備えられるものであってもよい。
【００３９】
画像取得手段６１は、入力部５６から所定の検査内の画像データの記録が指示されると、Ｘ線画像記憶部５４に記憶されたＩＤ関連テーブル（図２（Ａ）〜（Ｃ）に図示）を参照して、所定の検査に係る複数の画像データ（撮影画像データ及び透視画像データ）をＸ線画像記憶部５４から取得する（読み出す）機能を有する。
【００４０】
ファイル生成手段６２は、画像取得手段６１によって取得された、所定の検査に係る複数の画像データに付帯情報（タグ）等をそれぞれ付与することで、ＤＩＣＯＭ規格に従ったＤＩＣＯＭ画像ファイルを生成する機能を有する。ファイル生成手段６２は、画像取得手段６１によって取得された、所定の検査に係る撮影画像データに基づいて、撮影画像データを含むＤＩＣＯＭ画像ファイルを生成する。また、ファイル生成手段６２は、画像取得手段６１によって取得された、所定の検査に係る透視画像データ（マルチフレーム）に基づいて、透視画像データを含むＤＩＣＯＭ画像ファイルを生成する。
【００４１】
ファイル生成手段６２は、画像取得手段６１によって取得された各画像データをデータ本体としてそのヘッダ部に付帯情報を付加して医用ファイルの一態様であるＤＩＣＯＭ画像ファイルを生成する。なお、ＤＩＣＯＭ画像ファイルは、ビットマップ画像・ＤＩＣＯＭヘッダファイルや、ＪＰＥＧ（ｊｏｉｎｔ  ｐｈｏｔｏｇｒａｐｈｉｃ  ｅｘｐｅｒｔｓ  ｇｒｏｕｐ）画像・ＤＩＣＯＭヘッダファイルに分類できる。ビットマップ画像・ＤＩＣＯＭヘッダファイルは、ビットマップ形式のデータ本体としての画像データ（１フレームからなる撮影画像データやマルチフレームからなる透視画像データ）と、ＤＩＣＯＭ規格のセグメントに従うヘッダ部とによって構成される。ＪＰＥＧ画像・ＤＩＣＯＭヘッダファイルは、ＪＰＥＧ形式のデータ本体としての画像データ（１フレームからなる撮影画像データやマルチフレームからなる透視画像データ）と、ＤＩＣＯＭ規格のセグメントに従うヘッダ部とによって構成される。
【００４２】
図４は、ＤＩＣＯＭ画像ファイルの構造の一例を示す図である。
【００４３】
図４に示すように、ＤＩＣＯＭ画像ファイルは、大きくは、画像データ領域と、ヘッダ部のブランク領域及び付帯情報領域とによって構成される。ＤＩＣＯＭ画像ファイルの付帯情報領域はデータエレメントの集合体から構成され、それぞれのデータエレメントには標準タグ（グループ番号及びエレメント番号）及びそのタグ情報（データ長及びデータ）が含まれている。タグ情報は、患者情報、撮影条件情報、画像情報及び表示情報等の画像データに関する各種の属性情報である。
【００４４】
患者情報は、患者氏名、患者ＩＤ及び生年月日等の患者を特定する個人情報を含み、撮影条件情報は、一次取得画像及び二次取得画像等の画像タイプ、撮像部位、撮影時のＸ線電流値及び電圧値等の撮影状況に関する情報を含む。また、画像情報は、検査ＩＤ及び医用診断装置の種類等を示す情報を含み、表示情報は、画像のコントラスト、画像の並び順や配列及びシリーズ番号（画像の属するグループＩＤ）等の情報を含み、その他の情報として、各ＤＩＣＯＭ画像ファイルのファイルコード等を含んでいる。
【００４５】
図３の説明に戻って、関連付け記録制御手段６３は、ファイル生成手段６２によって生成された、所定の検査に係る複数のＤＩＣＯＭ画像ファイル同士を関連付けて可搬記録媒体Ｍに記録するように記録媒体用ドライブ５８を制御する機能を有する。また、関連付け記録制御手段６３は、後述するファイル形式変換手段６６によって生成された、所定の検査に係る複数の汎用画像ファイル同士を関連付けて可搬記録媒体Ｍに記録するように記録媒体用ドライブ５８を制御する機能を有する。
【００４６】
ファイル関連テーブル生成手段６４は、関連付け記録制御手段６３によって所定の検査に係る複数のＤＩＣＯＭ画像ファイル同士を関連付けるために、Ｘ線画像記憶部５４に記憶されたＩＤ関連テーブル（図２（Ａ）〜（Ｃ）に図示）に基づいて、ファイル生成手段６２によって生成された、所定の検査に係る複数のＤＩＣＯＭ画像ファイルを関連付けたファイル関連テーブルを生成する機能を有する。
【００４７】
図５は、検査ごとのＤＩＣＯＭ画像ファイルのファイル名を含むファイル関連テーブルの一例を示す図である。
【００４８】
図５に示す検査Ａに係るファイル関連テーブルの要素は、図２（Ａ）に示す検査Ａに係るＩＤ関連テーブルに基づいて、前透視ＩＤ「０００１」に基づくＤＩＣＯＭ画像ファイルのファイル名「ＦＩＬＥ０００１」と、撮影ＩＤ「０００２」に基づくＤＩＣＯＭ画像ファイルのファイル名「ＦＩＬＥ０００２」と、後透視ＩＤ「０００３」に基づくＤＩＣＯＭ画像ファイルのファイル名「ＦＩＬＥ０００３」とを含む。
【００４９】
検査Ｂに係るファイル関連テーブルの要素は、図２（Ｂ）に示す検査Ｂに係るＩＤ関連テーブルに基づいて、前透視ＩＤ「０００４」に基づくＤＩＣＯＭ画像ファイルのファイル名「ＦＩＬＥ０００４」と、撮影ＩＤ「０００５」に基づくＤＩＣＯＭ画像ファイルのファイル名「ＦＩＬＥ０００５」と、後透視ＩＤ「０００６」に基づくＤＩＣＯＭ画像ファイルのファイル名「ＦＩＬＥ０００６」とを含む。
【００５０】
検査Ｃに係るファイル関連テーブルの要素は、図２（Ｃ）に示す検査Ｃに係るＩＤ関連テーブルに基づいて、前透視ＩＤ「０００７」及び「０００９」に基づくＤＩＣＯＭ画像ファイルのファイル名「ＦＩＬＥ０００７」及び「ＦＩＬＥ０００９」と、撮影ＩＤ「０００８」及び「００１０」に基づくＤＩＣＯＭ画像ファイルのファイル名「ＦＩＬＥ０００８」及び「ＦＩＬＥ００１０」と、後透視ＩＤ「０００９」及び「００１１」に基づくＤＩＣＯＭ画像ファイルのファイル名「ＦＩＬＥ０００９」及び「ＦＩＬＥ００１１」とを含む。
【００５１】
図３の説明に戻って、関連付け記録制御手段６３は、ファイル関連テーブル生成手段６４が備えられる場合に、ファイル生成手段６２によって生成された、所定の検査に係る複数のＤＩＣＯＭ画像ファイルと共に、ファイル関連テーブル生成手段６４によって生成されたファイル関連テーブルを可搬記録媒体Ｍに記録するように記録媒体用ドライブ５８を制御する機能を有する。
【００５２】
ＤＩＣＯＭビューア記録制御手段６５は、Ｘ線撮影装置１の外部であって、ヘッダ部がＤＩＣＯＭ規格に従うＤＩＣＯＭ画像ファイルを開くための専用のアプリケーションを有する表示装置（ＤＩＣＯＭビューア、図示しない）を可搬記録媒体Ｍに記録するように記録媒体用ドライブ５８を制御する機能を有する。ＤＩＣＯＭビューアの記録媒体用ドライブ（図示しない）に可搬記録媒体Ｍが挿入され、所要のＤＩＣＯＭ画像ファイルが選択されると、図５に示すファイル関連テーブルから、選択されたＤＩＣＯＭ画像ファイルに係るファイル名に関連する他のファイル名を認識する。そして、ＤＩＣＯＭビューアは、可搬記録媒体Ｍから、選択されたＤＩＣＯＭ画像ファイルと、認識されたファイル名に係るＤＩＣＯＭ画像ファイルとを読み出す。さらに、ＤＩＣＯＭビューアは、読み出されたＤＩＣＯＭ画像ファイルをその生成順序で表示するか、同時表示する。
【００５３】
例えば、ＤＩＣＯＭビューアは、図５に示すファイル名「ＦＩＬＥ０００２」に係るＤＩＣＯＭ画像ファイルが選択されると、図５に示すファイル関連テーブルから、選択されたファイル名「ＦＩＬＥ０００２」に関連する２個のファイル名「ＦＩＬＥ０００１」及び「ＦＩＬＥ０００３」を認識する。そして、ＤＩＣＯＭビューアは、可搬記録媒体Ｍから、ファイル名「ＦＩＬＥ０００２」に係るＤＩＣＯＭ画像ファイルと、ファイル名「ＦＩＬＥ０００１」及び「ＦＩＬＥ０００３」に係る２個のＤＩＣＯＭ画像ファイルとを読み出す。さらに、ＤＩＣＯＭビューアは、読み出されたファイル名「ＦＩＬＥ０００１」、「ＦＩＬＥ０００２」及び「ＦＩＬＥ０００３」に係る３個のＤＩＣＯＭ画像ファイルをその生成順序で表示するか、同時表示する。前者の場合、ＤＩＣＯＭビューアは、ファイル名「ＦＩＬＥ０００１」に係る透視画像、ファイル名「ＦＩＬＥ０００２」に係る撮影画像、ファイル名「ＦＩＬＥ０００３」に係る透視画像の順に表示する。
【００５４】
また、例えば、ＤＩＣＯＭビューアは、図５に示すファイル名「ＦＩＬＥ０００８」に係るＤＩＣＯＭ画像ファイルが選択されると、図５に示すファイル関連テーブルから、選択されたファイル名「ＦＩＬＥ０００８」に関連する４個のファイル名「ＦＩＬＥ０００７」、「ＦＩＬＥ０００９」、「ＦＩＬＥ００１０」、及び「ＦＩＬＥ００１１」を認識する。
【００５５】
このように、ＤＩＣＯＭビューアでは、ＤＩＣＯＭビューアが記録された可搬記録媒体Ｍが、ＤＩＣＯＭビューアの記録媒体用ドライブ（図示しない）に挿入されるだけで可搬記録媒体Ｍ内の画像データを容易に閲覧することができる。また、ＤＩＣＯＭビューアでは、同一検査内の複数のＤＩＣＯＭ画像ファイルが関連付けられて記録された可搬記録媒体Ｍを利用して撮影画像データが選択された場合でも、透視画像の表示を介して、選択された撮影画像上の注目部位の動態観察を容易に行なうことができる。
【００５６】
また、ファイル形式変換手段６６は、ファイル生成手段６２によって生成された、１検査内における複数のＤＩＣＯＭ画像ファイルのフォーマットを汎用形式にそれぞれ変換して、汎用画像ファイルを生成する機能を有する。ファイル形式変換手段６６は、１フレームからなる撮影画像データを含むＤＩＣＯＭ画像ファイルを、例えば、ＪＰＥＧファイルに変換する。ファイル形式変換手段６６は、マルチフレームからなる透視画像データを含むＤＩＣＯＭ画像ファイルを、例えば、ＭＰＥＧ（ｍｏｖｉｎｇ  ｐｉｃｔｕｒｅ  ｅｘｐｅｒｔｓ  ｇｒｏｕｐ）ファイルまたはＡＶＩ（ａｕｄｉｏ  ｖｉｄｅｏ  ｉｎｔｅｒｌｅａｖｅ）ファイルに変換する。
【００５７】
汎用画像ファイルは、Ｘ線撮影装置１の外部であって、ヘッダ部がＤＩＣＯＭ規格に従うＤＩＣＯＭ画像ファイルを開くための専用のアプリケーションを有しない表示装置（汎用ビューア）を用いても参照可能である。また、透視画像データを含むＤＩＣＯＭ画像ファイルを汎用形式の圧縮度の高い記録形式で可搬記録媒体Ｍに記録するため、単位可搬記録媒体Ｍあたりに、より長時間のデータを記録することができる。
【００５８】
本実施形態のＸ線撮影装置１によると、ＤＩＣＯＭビューアで選択された撮影画像データに関連する同一検査内の透視画像データを自動的に可搬記録媒体Ｍから抽出して併せて表示することができるので、可搬記録媒体Ｍ内のデータを利用する操作者によるデータ選択の手間が減り、操作者の診断効率が向上する。また、本実施形態のＸ線撮影装置１によると、汎用形式に変換された汎用ファイルを可搬記録媒体Ｍに記録するので、汎用ビューアでも、可搬記録媒体Ｍに記録された画像データを表示することができる。
【００５９】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【００６０】
１  Ｘ線撮影装置
２  架台装置
２１  Ｘ線照射装置
２２  Ｘ線検出装置
４  コントローラ
５  画像処理装置
５１  システム制御部
６１  画像取得手段
６２  ファイル生成手段
６３  関連付け記録制御手段
６４  ファイル関連テーブル生成手段
６５  ＤＩＣＯＭビューア記録制御手段
６６  ファイル形式変換手段
【図１】
2015150156.tif 000003
【図２】
2015150156.tif 000004
【図３】
2015150156.tif 000005
【図４】
2015150156.tif 000006
【図５】
2015150156.tif 000007